(57)【要約】【課題】被取付部の内部に対する点検等の作業を実施しやすくする。【解決手段】照明装置において、枠部材８０は、開口部が設けられた被取付部に相当するシステム天井に取り付けられる取付部材である。端子台２５は、端子台プレート８３を介して枠部材８０に固定されている。照明器具１２は、端子台２５とは独立して枠部材８０に着脱自在に取り付けられている。照明装置は、光源ユニット１４が取り付けられた照明器具１２が枠部材８０に取り付けられた状態では、システム天井の開口部を遮蔽する。一方、照明装置は、光源ユニット１４と端子台２５との電気接続が解除され、照明器具１２が枠部材８０から取り外された状態では、システム天井の開口部を露出させる。【選択図】図３
2018181467.tif 000002
【特許請求の範囲】
【請求項１】
開口部が設けられた被取付部に取り付けられる取付部材と、
前記被取付部の内部を通る電線が接続され、前記取付部材に固定された端子台と、
前記端子台とは独立して前記取付部材に着脱自在に取り付けられる照明器具と、
前記端子台と電気接続されるとともに、前記照明器具に取り付けられる光源ユニットとを備え、
前記光源ユニットが取り付けられた前記照明器具が前記取付部材に取り付けられた状態では前記開口部を遮蔽し、前記光源ユニットと前記端子台との電気接続が解除され前記照明器具が前記取付部材から取り外された状態では前記開口部を露出させる照明装置。
【請求項２】
前記取付部材は、平面視で四角形状の枠部材であり、
前記端子台は、前記枠部材の対向する２辺間に架けて設けられた橋状部材を介して前記枠部材に固定されている請求項１に記載の照明装置。
【請求項３】
前記端子台は、前記橋状部材の前記照明器具に対向する面に搭載され、前記照明器具の前記橋状部材に対向する面に設けられたスリットから前記照明器具の内側に突き出して前記照明器具に収納されている請求項２に記載の照明装置。
【請求項４】
前記橋状部材は、前記枠部材の前記対向する２辺に沿って存在する前記橋状部材の両端のうち一端を支点として開閉する請求項３に記載の照明装置。
【請求項５】
前記照明器具は、前記光源ユニットから出射される光を反射する反射板と、前記反射板に取り付けられ、前記被取付部の前記開口部が設けられた面に対して、前記反射板よりも大きい角度で前記光源ユニットを遮蔽する板状部材とを有する請求項１から４のいずれか１項に記載の照明装置。
【請求項６】
前記照明器具は、前記光源ユニットから出射される光を反射する反射板と、前記反射板に取り付けられ、前記被取付部の内部に向かって空気を通すために前記反射板に設けられた穴を遮蔽する板状部材とを有する請求項１から４のいずれか１項に記載の照明装置。
【請求項７】
前記板状部材に取り付けられ、前記光源ユニットの配光を制御するオプション材をさらに備える請求項５または６に記載の照明装置。
【発明の詳細な説明】
【技術分野】
【０００１】
本発明は、照明装置に関するものである。
【背景技術】
【０００２】
特許文献１および特許文献２には、システム天井用の照明器具の構造に関する技術が記載されている。
【先行技術文献】
【特許文献】
【０００３】
【特許文献１】特開平７−１３０２１３号公報
【特許文献２】実開昭６４−４６９０６号公報
【発明の概要】
【発明が解決しようとする課題】
【０００４】
特許文献１に記載の照明器具では、照明器具が取り付けられた天井裏の点検の際に、電源線が挿し込まれた端子台ごと器具を取り外さなければならないため、天井裏を通って端子台に接続された電源線の抜き差し等が必要になり、点検作業がしにくい。
【０００５】
また、特許文献１に記載の照明器具のように、器具本体の上面側に端子台カバーを有する構造では、器具高さがカバー分高くなってしまい、天井の懐が浅い場合、器具を施工できない。
【０００６】
通常、システム天井用の照明器具において、所望の遮光角を実現するためには、天井面に対して光源をある程度深い位置に配置しなければならない。実現したい遮光角が大きければ大きいほど、光源を天井面に対して深い位置に配置する必要があり、大きい遮光角を求めるほど、器具本体の高さが増加していくことになる。天井面に対して光源を浅い位置に配置するために、遮光体を用いることが考えられるが、特許文献２に記載の照明器具のように、反射板の下面開放部に遮光体を有する構造では、器具高さが遮光体分高くなってしまい、天井の懐が浅い場所に器具を設置することは困難である。
【０００７】
本発明は、被取付部の内部に対する点検等の作業を実施しやすくすることを目的とする。
【課題を解決するための手段】
【０００８】
本発明の一態様に係る照明装置は、
開口部が設けられた被取付部に取り付けられる取付部材と、
前記被取付部の内部を通る電線が接続され、前記取付部材に固定された端子台と、
前記端子台とは独立して前記取付部材に着脱自在に取り付けられる照明器具と、
前記端子台と電気接続されるとともに、前記照明器具に取り付けられる光源ユニットとを備え、
前記光源ユニットが取り付けられた前記照明器具が前記取付部材に取り付けられた状態では前記開口部を遮蔽し、前記光源ユニットと前記端子台との電気接続が解除され前記照明器具が前記取付部材から取り外された状態では前記開口部を露出させる。
【発明の効果】
【０００９】
本発明では、端子台が固定された取付部材から照明器具を端子台とは独立して取り外し、被取付部の開口部を露出させることができる。このため、端子台に接続された電線の抜き差し等をしなくても、被取付部の内部に対する作業を実施しやすい。
【図面の簡単な説明】
【００１０】
【図１】実施の形態１に係る照明装置の斜視図。
【図２】実施の形態１に係る照明装置の平面図、側面図、底面図および背面図。
【図３】実施の形態１に係る照明装置の分解斜視図。
【図４】実施の形態１に係る照明装置の断面図。
【図５】実施の形態１に係る照明装置の分解断面図。
【図６】実施の形態１に係る光源ユニットの斜視図。
【図７】実施の形態２に係る照明装置の斜視図。
【図８】実施の形態２に係る照明装置の平面図、側面図、底面図および背面図。
【図９】実施の形態２に係る照明装置の分解斜視図。
【図１０】実施の形態２に係る照明装置の断面図。
【図１１】実施の形態２に係る照明装置の分解断面図。
【図１２】実施の形態３に係る照明装置の斜視図。
【図１３】実施の形態３に係る照明装置の斜視図。
【図１４】実施の形態３に係る照明装置の分解斜視図。
【図１５】実施の形態３に係る照明装置の断面図。
【図１６】実施の形態３に係る照明装置の、オプション材を取り外した状態の断面図。
【図１７】実施の形態３に係る照明器具の斜視図。
【図１８】実施の形態３に係る枠部材および端子台プレートの斜視図。
【図１９】実施の形態４に係る照明装置の斜視図。
【図２０】実施の形態４に係る照明装置の斜視図。
【図２１】実施の形態４に係る照明装置の断面図。
【図２２】実施の形態５に係る照明装置の斜視図。
【図２３】実施の形態５に係る照明装置の断面図。
【発明を実施するための形態】
【００１１】
以下、本発明の実施の形態について、図を用いて説明する。各図中、同一または相当する部分には、同一符号を付している。実施の形態の説明において、同一または相当する部分については、説明を適宜省略または簡略化する。なお、本発明は、以下に説明する実施の形態に限定されるものではなく、必要に応じて種々の変更が可能である。例えば、以下に説明する実施の形態のうち、２つ以上の実施の形態が組み合わせられて実施されても構わない。あるいは、以下に説明する実施の形態のうち、１つの実施の形態または２つ以上の実施の形態の組み合わせが部分的に実施されても構わない。
【００１２】
実施の形態１．
本実施の形態について、図１から図６を用いて説明する。
【００１３】
＊＊＊構成の説明＊＊＊
図１から図５を参照して、本実施の形態に係る照明装置１０の構成を説明する。
【００１４】
図１は、照明装置１０を斜め下方から見た図である。図２の左側にある図は、上から順に、照明装置１０の平面図、側面図および底面図である。図２の右側にある図は、照明装置１０の背面図である。図３は、図１に対応する照明装置１０の分解図である。図４は、照明装置１０の縦断面を示した図である。図５は、図４に対応する照明装置１０の分解図である。なお、本実施の形態の説明において、「上方」、「下方」、「側方」、「前方」、「後方」、「斜め上方」および「斜め下方」といった方向は、照明装置１０が天井に取り付けられているときの方向を示している。照明装置１０は、本実施の形態では、システム天井に取り付けて使用されるが、システム天井以外の天井に取り付けて使用されてもよいし、壁等、天井以外の被取付部に取り付けて使用されてもよい。
【００１５】
照明装置１０は、照明器具１２と、取付金具１３と、光源ユニット１４と、端子台２５と、枠部材８０と、端子台プレート８３とを備える。照明器具１２は、ケース２０と、反射板２１と、端板２３とを有する。すなわち、照明装置１０は、ケース２０と、反射板２１と、端板２３と、取付金具１３と、光源ユニット１４と、端子台２５と、枠部材８０と、端子台プレート８３とを備える。
【００１６】
ケース２０は、幅寸法よりも長さ寸法が大きい長尺状である。ケース２０の高さ寸法は、任意の寸法でよいが、本実施の形態では、ケース２０の幅寸法よりも小さい。幅寸法とは、幅方向Ｘの寸法のことである。長さ寸法とは、長さ方向Ｙの寸法のことである。高さ寸法とは、高さ方向Ｚの寸法のことである。なお、ケース２０の長さ寸法は、ケース２０の幅寸法と同じでもよいし、ケース２０の幅寸法よりも小さくてもよい。
【００１７】
反射板２１は、ケース２０の両側に１つずつ形成されている。それぞれの反射板２１は、ケース２０の形状にあわせて、幅寸法よりも長さ寸法が大きい長尺状になっている。２つの反射板２１は、幅方向Ｘにおいて互いに線対称な形状である。なお、反射板２１の長さ寸法は、反射板２１の幅寸法と同じでもよいし、反射板２１の幅寸法よりも小さくてもよいが、ケース２０の長さ寸法と同じであることが望ましい。
【００１８】
端板２３は、ケース２０の短手方向に延びるように、ケース２０の長手方向の両端に１つずつ取り付けられている。２つの端板２３は、ケース２０の長手方向の両端部に形成される開口を塞いでいる。２つの端板２３は、ケース２０の長手方向の両端部だけでなく、反射板２１の長手方向の両端部とも連結されている。なお、２つの端板２３は、ケース２０および反射板２１のいずれか、あるいは、両方に一体形成されていてもよい。
【００１９】
光源ユニット１４は、２つの反射板２１の間に位置するようにケース２０に取り付けられている。光源ユニット１４は、着脱できないようにケース２０に固定されていてもよいが、本実施の形態では、ケース２０に着脱自在に取り付けられている。光源ユニット１４は、ケース２０に取付可能な形状であればよいが、本実施の形態では、ケース２０の形状にあわせて、幅寸法よりも長さ寸法が大きい長尺状になっている。なお、光源ユニット１４の長さ寸法は、光源ユニット１４の幅寸法と同じでもよいし、光源ユニット１４の幅寸法よりも小さくてもよいが、ケース２０の長さ寸法と同じであることが望ましい。光源ユニット１４は、ケース２０に取り付けられる際には、端子台２５と電気接続される。
【００２０】
枠部材８０は、平面視で四角形状である。枠部材８０は、本実施の形態では平面視で長方形状であるが、正方形状でもよい。
【００２１】
取付金具１３は、枠部材８０の対向する２辺８１に相当する部分に取り付けられている。具体的には、取付金具１３は、枠部材８０の長辺に相当する部分に取り付けられている。取付金具１３の数は、任意の数でよいが、本実施の形態では枠部材８０の１辺８１につき２つ、すなわち、合計４つである。それぞれの取付金具１３は、下端がシステム天井のＴバーに引っ掛けられるように高さ方向Ｚに延びている。
【００２２】
枠部材８０は、開口部が設けられた被取付部に相当するシステム天井に取り付けられる取付部材である。枠部材８０は、本実施の形態では、取付金具１３をシステム天井のＴバーに引っ掛けることでシステム天井に取り付けられるが、ボルト等の固定具によりシステム天井以外の被取付部に取り付けられてもよい。
【００２３】
端子台プレート８３は、枠部材８０の対向する２辺８１間に架けて設けられた橋状部材である。端子台プレート８３は、本実施の形態では、幅方向Ｘに沿って枠部材８０の長辺間に架かるように枠部材８０に取り付けられている。端子台プレート８３は、幅方向Ｘにおいて略中央が枠部材８０の内側に凹むように形成されている。
【００２４】
端子台２５は、端子台プレート８３を介して枠部材８０に固定されている。端子台２５は、本実施の形態では、端子台プレート８３の照明器具１２に対向する面に搭載されている。具体的には、端子台２５は、ネジ等の締結具で端子台プレート８３のケース２０に対向する面に固定されている。端子台２５は、ケース２０の端子台プレート８３に対向する面に設けられたスリット５４からケース２０の内側に突き出してケース２０に収納されている。図示していないが、端子台２５には、システム天井の内部を通る電線である電源線が接続されている。また、端子台２５には、光源ユニット１４との電気接続およびその解除が簡単にできるように、ハーネス２７およびコネクタ２８が取り付けられている。光源ユニット１４と端子台２５とが接続された状態では、電源線を介して商用電源から端子台２５に入力される電力が、ハーネス２７およびコネクタ２８を介して光源ユニット１４に出力される。なお、端子台プレート８３の、端子台２５が搭載された面の周部は、ケース２０のスリット５４の周部に隙間がないように形成されている。端子台プレート８３の、端子台２５が搭載された面の周部と、ケース２０のスリット５４の周部とが当接することで、ケース２０内部に埃が侵入するのを抑制することができる。
【００２５】
照明器具１２は、端子台２５とは独立して枠部材８０に着脱自在に取り付けられている。照明器具１２は、本実施の形態では、ネジ２９によって、枠部材８０の対向する２辺８１間に設けられたネジ受部８２に固定される。ネジ受部８２は、任意の位置に設けられてよいが、本実施の形態では、枠部材８０の長手方向の両端近傍に１つずつ設けられている。ネジ２９の種類としては、ツマミネジまたはローレットネジ等、任意の種類を適用することができる。なお、照明器具１２は、端子台２５とは独立して着脱できる構造であればよく、ラッチ等、ネジ２９以外の部品または機構によって枠部材８０に取り付けられてもよい。
【００２６】
照明装置１０は、光源ユニット１４が取り付けられた照明器具１２が枠部材８０に取り付けられた状態では、システム天井の開口部を遮蔽する。一方、照明装置１０は、光源ユニット１４と端子台２５との電気接続が解除され、照明器具１２が枠部材８０から取り外された状態では、システム天井の開口部を露出させる。すなわち、照明装置１０は、端子台２５が取り外されていない状態でも、システム天井の開口部を露出させることができる。このため、端子台２５に接続された電源線の抜き差しの電気工事をしなくても、システム天井の内部に対する点検等の作業を実施できる。
【００２７】
図４および図６を参照して、光源ユニット１４の構成を説明する。
【００２８】
図６は、光源ユニット１４を斜め上方から見た図である。
【００２９】
光源ユニット１４は、光源部３０と、保持部３１と、カバー部３２と、光源蓋部３３と、連結部３４と、点灯装置３５とを有する。
【００３０】
光源部３０は、光を出射する。本実施の形態において、光源部３０は、複数のＬＥＤ１８と、これら複数のＬＥＤ１８が実装された基板１９とからなる。基板１９は、光源ユニット１４がケース２０に装着された状態で長尺方向がケース２０の長尺方向とほぼ一致するように長尺状に形成されている。ＬＥＤ１８は、基板１９の長尺方向に沿って直線状に並ぶように基板１９に配置されている。なお、ＬＥＤ１８に代えて、有機ＥＬ、レーザダイオード等、他の種類の固体発光素子が用いられてもよい。固体発光素子の数は、複数に限らず、１つであってもよい。
【００３１】
保持部３１は、光源部３０を片面である光源設置面１５で保持し、点灯装置３５を別の片面である保持部背面１６で保持している。本実施の形態において、保持部３１は、長手状である。保持部３１は、光源部３０が取り付けられる矩形板状の底壁部３６と、底壁部３６の長手方向の両側辺から垂直に突出した側壁部３７とからなる。すなわち、保持部３１は、片面が光源設置面１５であり、別の片面が保持部背面１６である底壁部３６と、この別の片面の両側から立ち上がる側壁部３７とを有する。底壁部３６の、光源部３０が取り付けられる面である光源設置面１５の反対側の保持部背面１６には、点灯装置３５だけでなく、連結部３４も配置されている。
【００３２】
カバー部３２は、保持部３１の光源設置面１５がある側に取り付けられ、光源部３０を覆っている。カバー部３２は、光源部３０から出射される光を、外側に露出している発光面１７から出射する。本実施の形態において、カバー部３２は、長手状である。カバー部３２は、光源部３０の光軸方向に配置されて光源部３０から遠ざかる方向に張り出す第一湾曲部３８と、第一湾曲部３８の両側に形成されて光源部３０に近づく方向に凹む第二湾曲部３９とを有する。第一湾曲部３８は、断面が円弧状に形成されている。第一湾曲部３８は、光源部３０から出射される光を拡散させることで配光を制御する。第二湾曲部３９は、光源ユニット１４の着脱時に作業者によってつまんで保持される。カバー部３２は、さらに、断面がコ字状であり、第二湾曲部３９の端部に形成され、保持部３１を側壁部３７側より挟み込むように保持部３１に固定される接続部４０を有する。カバー部３２は、押出成形が可能な樹脂材料で形成されている。樹脂材料としては、ポリカーボネート等が使用される。カバー部３２には、光の波長変換の機能が付加されていてもよい。
【００３３】
光源蓋部３３は、保持部３１およびカバー部３２の長手方向の両端部に形成される開口を塞いでいる。
【００３４】
連結部３４は、光源ユニット１４をケース２０に固定するための金具である。連結部３４には、穴が開けられている。連結部３４は、保持部３１の底壁部３６の２箇所にネジで固定されている。
【００３５】
点灯装置３５は、光源部３０に電力を供給する。これにより、点灯装置３５は、光源部３０を点灯させる。具体的には、点灯装置３５は、商用電源から端子台２５、ハーネス２７およびコネクタ２８を介して供給される交流電力を直流電力に変換し、この直流電力を光源部３０に供給することで、光源部３０を点灯させる。図示していないが、点灯装置３５は、交流電力を直流電力に変換する点灯回路部を有する。点灯回路部は、点灯装置３５の箱形状の筐体に収容されている。
【００３６】
光源ユニット１４は、１対の側面部４１を有する。一方の側面部４１は、カバー部３２の一方の第二湾曲部３９に相当する。他方の側面部４１は、カバー部３２の他方の第二湾曲部３９に相当する。
【００３７】
図１から図５を参照して、照明器具１２の構成を説明する。
【００３８】
前述したように、照明器具１２は、ケース２０と、反射板２１と、端板２３とを有する。
【００３９】
ケース２０は、１対の側面部５１と、側面部５１同士をつなぐ底面部５２と、底面部５２に対向し、開口された開口面部５３とを有する。
【００４０】
反射板２１は、ケース２０の長手方向に延びるように１対設けられている。端板２３は、ケース２０の短手方向に延びるように１対設けられている。
【００４１】
ケース２０の底面部５２の片面には、バネ部２４が取り付けられている。底面部５２の片面の、短手方向の両端からは、側面部５１が立ち上がっている。１対の側面部５１と底面部５２とに囲まれた空間は、点灯装置３５および端子台２５を収納するための空間になる。すなわち、１対の側面部５１および底面部５２は、光源ユニット１４の、点灯装置３５を含む一部分が挿入される凹部を形成している。底面部５２には、照明器具１２が枠部材８０に取り付けられる際に、端子台プレート８３を介して枠部材８０に固定されている端子台２５が通り抜ける入口となるスリット５４が設けられている。
【００４２】
バネ部２４は、ケース２０の底面部５２において、ケース２０の長手方向の両端付近に１つずつ配置されている。バネ部２４は、先端部分が折れ曲がっており、中間部分が湾曲している。底面部５２におけるバネ部２４の設置箇所は、光源ユニット１４の保持部３１の底壁部３６における連結部３４の設置箇所と対応している。
【００４３】
ケース２０の開口面部５３には、光源ユニット１４が取り付けられる。光源ユニット１４が開口面部５３に取り付けられた状態において、商用電源からの電力が端子台２５を介して点灯装置３５に供給され、さらに、点灯装置３５から光源ユニット１４に供給されることにより、光源ユニット１４が点灯する。すなわち、光源ユニット１４は、端子台プレート８３に搭載されている端子台２５を介して給電されて点灯する。
【００４４】
ここで、光源ユニット１４のケース２０への装着方法を説明する。
【００４５】
まず、ケース２０のバネ部２４の先端部分が、光源ユニット１４の連結部３４の穴に引っ掛けられる。
【００４６】
次に、光源ユニット１４がケース２０側へ押し込まれることで、光源ユニット１４の一部がケース２０の開口面部５３よりも内側に挿入される。このとき、バネ部２４の中間部分が連結部３４の穴の縁部で摺動しながら、連結部３４の先端部分がケース２０の底面部５２に当たるまで、光源ユニット１４が押し込まれる。これにより、光源ユニット１４がケース２０に固定される。
【００４７】
図１から図５を参照して、照明装置１０の構成をさらに説明する。
【００４８】
ケース２０の側面部５１の下端からは、反射板２１の一部分である平坦部６３が水平に延びている。平坦部６３があること、すなわち、光源ユニット１４に隣接する箇所が平坦になっていることで、光源ユニット１４の着脱時に光源ユニット１４を掴みやすくなる。平坦部６３の、ケース２０の側面部５１の下端に近い側とは反対側の端からは、反射板２１の別の一部分である傾斜部６１が斜め下方に延びている。傾斜部６１は、光源ユニット１４の側面部４１に対して傾斜しており、光源ユニット１４の側面部４１から傾斜部６１までの距離が下に向かうほど大きくなっている。すなわち、本実施の形態では、１対の傾斜部６１が、下向きに広がるように傾斜している。それぞれの傾斜部６１の下端からは、反射板２１のさらに別の一部分である補強部６２が真上に向かって立ち上がっている。補強部６２により、反射板２１の剛性が高められている。なお、平坦部６３は、省略してもよい。すなわち、傾斜部６１がケース２０の側面部５１の下端に直接つながっていてもよい。
【００４９】
反射板２１の、少なくとも床面側には、光を反射する材質が使用されているか、あるいは、光を反射するための加工または塗装が施されている。
【００５０】
＊＊＊実施の形態の効果の説明＊＊＊
本実施の形態では、端子台２５が固定された枠部材８０から照明器具１２を端子台２５とは独立して取り外し、システム天井の開口部を露出させることができる。このため、端子台２５に接続された電源線の抜き差し等をしなくても、システム天井の内部に対する点検等の作業を実施しやすい。
【００５１】
本実施の形態では、光源ユニット１４とコネクタ２８との接続を解除し、光源ユニット１４を取り外した後、ネジ２９を取り外して照明器具１２を取り外すと、その状態で枠部材８０と端子台プレート８３との隙間から天井裏の点検を行うことができる。端子台２５を端子台プレート８３あるいは枠部材８０から取り外す必要がないため、電気工事なしで天井裏の点検を行うことができる。
【００５２】
本実施の形態によれば、システム天井用の照明装置１０において、取付用の部材である枠部材８０を取り外すことなく、光源ユニット１４と、照明装置１０の主たる部分である照明器具１２とを、簡単に取り外すことができる。天井に取り付けられた照明装置１０の主たる部分である照明器具１２とは別体の枠部材８０が開口されているため、光源ユニット１４と照明器具１２とを取り外した状態であれば、枠部材８０の開口された部分を通して天井裏を点検することができる。端子台２５が、取り外される照明器具１２とは別の箇所に搭載されているため、電源線の抜き差しの電気工事が不要となる。また、端子台２５が、コネクタ２８によって光源ユニット１４と接続されているため、光源ユニット１４との接続の解除が簡単に行える。
【００５３】
本実施の形態では、板状に形成された端子台プレート８３に端子台２５が搭載されており、照明器具１２を枠部材８０に取り付けた状態では、照明器具１２と端子台プレート８３とが密着し、照明器具１２のスリット５４を介して、端子台２５が照明器具１２の内部に収まるため、照明装置１０の高さ寸法を小さく抑えることができる。よって、天井の懐が浅い場所にも、照明装置１０を設置することができる。
【００５４】
＊＊＊他の構成＊＊＊
本実施の形態では、端子台プレート８３には、電源用の端子台２５のみが搭載されているが、変形例として、調光信号用の端子台も搭載されていてよい。また、点灯装置３５が、光源ユニット１４に備えられる代わりに、端子台プレート８３に搭載されていてもよい。
【００５５】
本実施の形態では、端子台プレート８３の、端子台２５が搭載された面と、ケース２０のスリット５４との周部に隙間がない構成が採用されているが、端子台プレート８３の、端子台２５が搭載された面と、ケース２０のスリット５４との少なくともいずれかの周部に緩衝材を設ける構成が採用されてもよい。端子台プレート８３が弾性を有し、ケース２０を押圧するような構成で隙間をなくすようにしてもよい。
【００５６】
本実施の形態では、端子台プレート８３が枠部材８０の対向する部材を跨ぐように構成されているが、一方側のみに設けられる構成、すなわち、片持ちの構成が採用されてもよい。
【００５７】
実施の形態２．
本実施の形態について、主に実施の形態１との差異を、図７から図１１を用いて説明する。
【００５８】
＊＊＊構成の説明＊＊＊
図７から図１１を参照して、本実施の形態に係る照明装置１０の構成を説明する。
【００５９】
図７は、照明装置１０を斜め下方から見た図である。図８の左側にある図は、上から順に、照明装置１０の平面図、側面図および底面図である。図８の右側にある図は、照明装置１０の背面図である。図９は、図７に対応する照明装置１０の分解図である。図１０は、照明装置１０の縦断面を示した図である。図１１は、図１０に対応する照明装置１０の分解図である。照明装置１０は、本実施の形態では、天井に埋め込まれて使用されるが、壁等、天井以外の被取付部に埋め込まれて使用されてもよい。
【００６０】
本実施の形態では、取付金具１３が、端子台プレート８３と同じように、枠部材８０の対向する２辺８１間に架けて設けられている。具体的には、端子台プレート８３は、幅方向Ｘに沿って枠部材８０の長辺間に架かるように枠部材８０に取り付けられている。取付金具１３の数は、任意の数でよいが、本実施の形態では２つである。それぞれの取付金具１３は、天井内に設置された吊ボルトに取り付けられる構造になっている。
【００６１】
枠部材８０は、開口部が設けられた被取付部に相当する天井に取り付けられる取付部材である。枠部材８０は、本実施の形態では、取付金具１３を天井内の吊ボルトに固定することで天井の開口部に相当する埋込穴の中に設置される。
【００６２】
端子台プレート８３は、実施の形態１と同じように、幅方向Ｘに沿って枠部材８０の長辺間に架かるように枠部材８０に取り付けられている。
【００６３】
端子台２５は、実施の形態１と同じように、端子台プレート８３の照明器具１２に対向する面に搭載されている。具体的には、端子台２５は、ネジ等の締結具で端子台プレート８３のケース２０に対向する面に固定されている。端子台２５は、ケース２０の端子台プレート８３に対向する面に設けられたスリット５４からケース２０の内側に突き出してケース２０に収納されている。図示していないが、端子台２５には、天井の内部を通る電線である電源線が接続されている。また、端子台２５には、光源ユニット１４との電気接続およびその解除が簡単にできるように、ハーネス２７およびコネクタ２８が取り付けられている。光源ユニット１４と端子台２５とが接続された状態では、電源線を介して商用電源から端子台２５に入力される電力が、ハーネス２７およびコネクタ２８を介して光源ユニット１４に出力される。
【００６４】
照明器具１２は、端子台２５とは独立して枠部材８０に着脱自在に取り付けられている。照明器具１２は、本実施の形態では、ネジ２９によって、取付金具１３に固定される。取付金具１３は、任意の位置に設けられてよいが、本実施の形態では、枠部材８０の長手方向に沿って離れた２箇所に設けられている。ネジ２９の種類としては、ツマミネジまたはローレットネジ等、任意の種類を適用することができる。なお、照明器具１２は、端子台２５とは独立して着脱できる構造であればよく、ラッチ等、ネジ２９以外の部品または機構によって取付金具１３に取り付けられてもよい。また、照明器具１２は、取付金具１３を介して枠部材８０に取り付けられる代わりに、枠部材８０に直接取り付けられてもよい。
【００６５】
照明装置１０は、光源ユニット１４が取り付けられた照明器具１２が枠部材８０に取り付けられた状態では、天井の埋込穴を遮蔽する。一方、照明装置１０は、光源ユニット１４と端子台２５との電気接続が解除され、照明器具１２が枠部材８０から取り外された状態では、天井の埋込穴を露出させる。すなわち、照明装置１０は、端子台２５が取り外されていない状態でも、天井の埋込穴を露出させることができる。このため、端子台２５に接続された電源線の抜き差しの電気工事をしなくても、天井の内部に対する点検等の作業を実施できる。
【００６６】
＊＊＊実施の形態の効果の説明＊＊＊
本実施の形態では、端子台２５が固定された枠部材８０から照明器具１２を端子台２５とは独立して取り外し、天井の埋込穴を露出させることができる。このため、端子台２５に接続された電源線の抜き差し等をしなくても、天井の内部に対する点検等の作業を実施しやすい。
【００６７】
本実施の形態によれば、天井埋込形の照明装置１０において、取付用の部材である枠部材８０を吊ボルトから取り外すことなく、光源ユニット１４と、照明装置１０の主たる部分である照明器具１２とを、簡単に取り外すことができる。天井に埋め込まれた照明装置１０の主たる部分である照明器具１２とは別体の枠部材８０が開口されているため、光源ユニット１４と照明器具１２とを取り外した状態であれば、枠部材８０の開口された部分を通して天井裏を点検することができる。実施の形態１と同じように、端子台２５が、取り外される照明器具１２とは別の箇所に搭載されているため、電源線の抜き差しの電気工事が不要となる。
【００６８】
実施の形態３．
本実施の形態について、主に実施の形態１との差異を、図１２から図１８を用いて説明する。
【００６９】
＊＊＊構成の説明＊＊＊
図１２から図１８を参照して、本実施の形態に係る照明装置１０の構成を説明する。
【００７０】
図１２は、照明装置１０を斜め下方から見た図である。図１３は、照明装置１０を斜め上方から見た図である。図１４は、図１２に対応する照明装置１０の分解図である。図１５は、照明装置１０の縦断面を示した図である。図１６は、照明装置１０の、オプション材９１を取り外した状態の縦断面を示した図である。図１７は、照明器具１２を斜め上方から見た図である。図１８は、枠部材８０および端子台プレート８３を斜め上方から見た図である。なお、図１５および図１６では、他の図で省略しているＴバー９０も示している。
【００７１】
本実施の形態では、照明装置１０が、照明器具１２と、取付金具１３と、光源ユニット１４と、端子台２５と、枠部材８０と、端子台プレート８３とのほかに、オプション材９１を備える。また、本実施の形態では、照明器具１２が、ケース２０と、反射板２１と、端板２３とのほかに、板状部材２２を有する。すなわち、本実施の形態では、照明装置１０が、ケース２０と、反射板２１と、板状部材２２と、端板２３と、取付金具１３と、光源ユニット１４と、端子台２５と、枠部材８０と、端子台プレート８３と、オプション材９１とを備える。
【００７２】
板状部材２２は、光源ユニット１４から出射される光を反射する反射板２１に取り付けられ、システム天井の開口部が設けられた面である天井面に対して、反射板２１よりも大きい角度で光源ユニット１４を遮蔽する。本実施の形態では、板状部材２２があることで、遮光角を広げることができる。例えば、板状部材２２がなければ、遮光角は１３°となるが、板状部材２２があることで、遮光角を１５°に広げることができる。なお、遮光角は適宜変更することができる。
【００７３】
板状部材２２は、光源ユニット１４の両側に１つずつ設けられている。具体的には、板状部材２２は、一方の反射板２１の内側に１つ、他方の反射板２１の内側に１つ取り付けられている。それぞれの板状部材２２は、ケース２０および反射板２１の形状にあわせて、幅寸法よりも長さ寸法が大きい長尺状になっている。２つの板状部材２２は、幅方向Ｘにおいて互いに線対称な形状である。なお、板状部材２２の長さ寸法は、板状部材２２の幅寸法と同じでもよいし、板状部材２２の幅寸法よりも小さくてもよいが、ケース２０および反射板２１の長さ寸法と同じであることが望ましい。
【００７４】
照明装置１０は、空気が通り抜ける第一通路および第二通路を有する。第一通路および第二通路を介して、室内と空気調和機が設置される天井裏との間で空気を流通させることができる。
【００７５】
それぞれの板状部材２２は、反射板２１に対して第一通路および第二通路となる隙間が空くように設けられている。すなわち、反射板２１と板状部材２２との間には、第一通路および第二通路となる隙間が空いている。反射板２１には、第一通路および第二通路の出口となる穴７１が設けられている。穴７１は、板状部材２２によって遮蔽されている。すなわち、板状部材２２は、光源ユニット１４から出射される光を反射する反射板２１に取り付けられ、システム天井の内部に向かって空気を通すために反射板２１に設けられた穴７１を遮蔽する。このため、照明装置１０の下からは、第一通路および第二通路の出口となる穴７１が見えない。よって、穴７１の奥にある天井裏の空間を隠すことができる。
【００７６】
オプション材９１は、板状部材２２に取り付けられ、光源ユニット１４の配光を制御する。オプション材９１は、本実施の形態ではルーバであるが、波長変換機能を有するカバー等、他の種類の配光制御部材であってもよい。
【００７７】
本実施の形態では、端子台プレート８３に、電源用の端子台２５だけでなく、調光信号用の端子台２６も搭載されている。この端子台２６は、電源用の端子台２５と同じように、ネジ等の締結具で端子台プレート８３のケース２０に対向する面に固定されている。端子台２６は、ケース２０の端子台プレート８３に対向する面に設けられたスリット５４からケース２０の内側に突き出してケース２０に収納されている。図示していないが、端子台２６には、システム天井の内部を通る電線である信号線が接続されている。光源ユニット１４の点灯装置３５は、図示していない照明制御機器から端子台２６を介して入力される調光信号に従って、光源部３０に供給する電力を調整することで、光源部３０を調光する。
【００７８】
図１２から図１６を参照して、照明装置１０の構成をさらに説明する。
【００７９】
反射板２１の傾斜部６１には、側面視で１箇所に第一通路の出口となる穴７１が設けられ、側面視で別の１箇所に第二通路の出口となる穴７１が設けられている。第一通路の出口となる穴７１は、反射板２１の長手方向に沿って複数設けられている。第二通路の出口となる穴７１も、反射板２１の長手方向に沿って複数設けられている。反射板２１の、第一通路の出口となる穴７１が設けられている箇所と、第二通路の出口となる穴７１が設けられている箇所との間の部分からは、板状部材２２の一部分である第一遮蔽部６４が斜め上方に延びている。第一遮蔽部６４は、第一通路の出口となる穴７１を遮蔽している。第一遮蔽部６４の反射板２１に近い側とは反対側の端からは、板状部材２２の別の一部分である第二遮蔽部６５が斜め下方に延びている。第一遮蔽部６４と第二遮蔽部６５とのなす角は、鋭角である。第二遮蔽部６５の下端からは、板状部材２２のさらに別の一部分である折返部６６が途中まで水平に延び、途中から真上に向かって立ち上がっている。第二遮蔽部６５および折返部６６は、第二通路の出口となる穴７１を遮蔽している。また、折返部６６により、板状部材２２の剛性が高められている。なお、穴７１の数、位置、形状および大きさは適宜変更可能であり、大幅な変更でない限りは製造工程のうち穴加工の工程を変更するだけで対応可能である。
【００８０】
板状部材２２の、少なくとも床面側には、光を反射する材質が使用されているか、あるいは、光を反射するための加工または塗装が施されている。
【００８１】
それぞれの板状部材２２の第二遮蔽部６５には、１対のノックアウト６７が設けられている。オプション材９１が板状部材２２に取り付けられる際には、まず、一方の板状部材２２の第二遮蔽部６５に設けられた１対のノックアウト６７に、オプション材９１の１対のラッチ９２が嵌められる。そして、他方の板状部材２２の第二遮蔽部６５に設けられた１対のノックアウト６７に、オプション材９１の１対の引掛金具９３が引っ掛けられる。本実施の形態では、このような取付構造を採用したことで、オプション材９１の着脱が容易になる。
【００８２】
上記のように、本実施の形態では、板状部材２２が、遮光板として機能するだけでなく、目隠し板としても機能し、また、オプション保持板としても機能する。
【００８３】
図１８を参照して、枠部材８０および端子台プレート８３の構成を説明する。
【００８４】
本実施の形態では、端子台プレート８３が、枠部材８０の対向する２辺８１に沿って存在する端子台プレート８３の両端８４のうち一端８４を支点として開閉する。光源ユニット１４と端子台２５との電気接続が解除され、照明器具１２が枠部材８０から取り外された状態では、システム天井の開口部が露出するが、その際に端子台プレート８３を開くことで枠部材８０の開口された部分を広くすることができ、システム天井の内部に対する点検等の作業を実施しやすくなる。
【００８５】
＊＊＊実施の形態の効果の説明＊＊＊
本実施の形態では、反射板２１の下面開放部に遮光体を設けるのではなく、反射板２１の内側に遮光板の役割を果たす板状部材２２を設けることで、照明装置１０の高さ寸法を小さく抑えながら、所望の遮光角を形成している。そのため、照明装置１０が天井の懐が浅い場所に設置される場合においても、所望の遮光角を形成することが可能である。
【００８６】
本実施の形態では、反射板２１の内側に目隠し板の役割を果たす板状部材２２を設けることで、意匠面から空調リターン用の穴７１が露出することを防げるため、高い意匠性を実現することができる。
【００８７】
本実施の形態では、反射板２１の内側にオプション保持板の役割を果たす板状部材２２を設けることで、オプション材９１を照明装置１０に追加することが可能になる。
【００８８】
実施の形態４．
本実施の形態について、主に実施の形態３との差異を、図１９から図２１を用いて説明する。
【００８９】
図１９は、照明装置１０を斜め下方から見た図である。図２０は、照明装置１０を斜め上方から見た図である。図２１は、照明装置１０の縦断面を示した図である。
【００９０】
本実施の形態では、実施の形態３と同様の部品構成をとっているが、実施の形態３よりも幅が狭まっているため、板状部材２２の形状が実施の形態３とは異なる形状になっている。
【００９１】
本実施の形態では、実施の形態３と同様に、板状部材２２があることで、遮光角を広げることができる。例えば、板状部材２２がなければ、遮光角は２３°となるが、板状部材２２があることで、遮光角を２５°に広げることができる。
【００９２】
実施の形態５．
本実施の形態について、主に実施の形態３との差異を、図２２および図２３を用いて説明する。
【００９３】
図２２は、照明装置１０を斜め下方から見た図である。図２３は、照明装置１０の縦断面を示した図である。なお、図２３では、図２２で省略しているＴバー９０も示している。
【００９４】
本実施の形態では、板状部材２２が、目隠し板としてのみ機能する。よって、板状部材２２は、遮光角を形成しない。板状部材２２は、反射板２１の平坦部６３に設けられた空調リターン用の穴７１を遮蔽している。
【００９５】
本実施の形態では、反射板２１の下方に目隠し板の役割を果たす板状部材２２を設けることで、意匠面から空調リターン用の穴７１が露出することを防げるため、高い意匠性を実現することができる。
【００９６】
実施の形態３では、システム天井に取り付けられる取付部材として枠部材８０が備えられるが、本実施の形態では、システム天井に取り付けられる取付部材として取付金具１３が備えられている。取付金具１３は、幅方向Ｘに沿って照明器具１２の上を跨ぐように取り付けられている。取付金具１３の数は、任意の数でよいが、本実施の形態では、２つである。それぞれの取付金具１３は、幅方向Ｘの両端がシステム天井のＴバー９０に引っ掛けられるように下向きに折れ曲がっている。
【００９７】
端子台２５は、実施の形態３では、端子台プレート８３を介して枠部材８０に固定されるが、本実施の形態では、取付金具１３に直接固定されているものとする。
【００９８】
照明器具１２は、端子台２５とは独立して取付金具１３に着脱自在に取り付けられている。照明器具１２は、実施の形態３では、ネジ２９によって、枠部材８０の対向する２辺８１間に設けられたネジ受部８２に固定されるが、本実施の形態では、図示していないネジ等の固定具によって取付金具１３に固定されている。
【００９９】
照明装置１０は、光源ユニット１４が取り付けられた照明器具１２が取付金具１３に取り付けられた状態では、システム天井の開口部を遮蔽する。一方、照明装置１０は、光源ユニット１４と端子台２５との電気接続が解除され、照明器具１２が取付金具１３から取り外された状態では、システム天井の開口部を露出させる。すなわち、照明装置１０は、端子台２５が取り外されていない状態でも、システム天井の開口部を露出させることができる。このため、実施の形態３と同じように、端子台２５に接続された電源線の抜き差し等をしなくても、システム天井の内部に対する点検等の作業を実施しやすい。
【符号の説明】
【０１００】
１０  照明装置、１２  照明器具、１３  取付金具、１４  光源ユニット、１５  光源設置面、１６  保持部背面、１７  発光面、１８  ＬＥＤ、１９  基板、２０  ケース、２１  反射板、２２  板状部材、２３  端板、２４  バネ部、２５  端子台、２６  端子台、２７  ハーネス、２８  コネクタ、２９  ネジ、３０  光源部、３１  保持部、３２  カバー部、３３  光源蓋部、３４  連結部、３５  点灯装置、３６  底壁部、３７  側壁部、３８  第一湾曲部、３９  第二湾曲部、４０  接続部、４１  側面部、５１  側面部、５２  底面部、５３  開口面部、５４  スリット、６１  傾斜部、６２  補強部、６３  平坦部、６４  第一遮蔽部、６５  第二遮蔽部、６６  折返部、６７  ノックアウト、７１  穴、８０  枠部材、８１  辺、８２  ネジ受部、８３  端子台プレート、８４  端、９０  Ｔバー、９１  オプション材、９２  ラッチ、９３  引掛金具。
【図１】
2018181467.tif 000003
【図２】
2018181467.tif 000004
【図３】
2018181467.tif 000005
【図４】
2018181467.tif 000006
【図５】
2018181467.tif 000007
【図６】
2018181467.tif 000008
【図７】
2018181467.tif 000009
【図８】
2018181467.tif 000010
【図９】
2018181467.tif 000011
【図１０】
2018181467.tif 000012
【図１１】
2018181467.tif 000013
【図１２】
2018181467.tif 000014
【図１３】
2018181467.tif 000015
【図１４】
2018181467.tif 000016
【図１５】
2018181467.tif 000017
【図１６】
2018181467.tif 000018
【図１７】
2018181467.tif 000019
【図１８】
2018181467.tif 000020
【図１９】
2018181467.tif 000021
【図２０】
2018181467.tif 000022
【図２１】
2018181467.tif 000023
【図２２】
2018181467.tif 000024
【図２３】
2018181467.tif 000025